(57)【要約】【課題】絶縁膜が基板から剥離する虞がない有機ＥＬパネルを提供する。【解決手段】有機ＥＬパネル１１は、第一電極１５と発光層と第二電極１７とを有する有機ＥＬ素子と、第一電極１５と第二電極１７が短絡することを防ぐ絶縁膜１４と、を基板１２に形成したものである。絶縁膜１４の端部の少なくとも一部１４ａ，１４ｂ，１４ｃと基板１２の間に、絶縁膜１４が基板１２から剥がれることを防ぐ剥離防止部３２を設ける。剥離防止部３２は、接地されている。剥離防止部３２は、疎水性材料からなる。【選択図】　図１
2004119226.tif 000002
【特許請求の範囲】
【請求項１】
少なくとも第一電極と発光層と第二電極とを有する有機ＥＬ素子と、前記第一電極と前記第二電極が短絡することを防ぐ絶縁膜と、を基板に形成した有機ＥＬパネルであって、
前記絶縁膜の端部の少なくとも一部と前記基板の間に、前記絶縁膜が前記基板から剥がれることを防ぐ剥離防止部を設けたことを特徴とする有機ＥＬパネル。
【請求項２】
前記剥離防止部は、接地されることを特徴とする請求項１に記載の有機ＥＬパネル。
【請求項３】
前記剥離防止部は、前記基板よりも疎水性であることを特徴とする請求項１に記載の有機ＥＬパネル。
【請求項４】
前記剥離防止部は、前記第一電極と同じ材料からなることを特徴とする請求項１に記載の有機ＥＬパネル。
【発明の詳細な説明】
【０００１】
【発明の属する技術分野】
本発明は、第一電極と第二電極の間に発光層を挟んだ有機ＥＬ素子を基板に形成した有機ＥＬパネルに関するものである。
【０００２】
【従来の技術】
従来より、有機ＥＬパネルが種々提案されており、例えば特許文献１に開示されている。有機ＥＬパネル１は、ガラス基板２に有機ＥＬ素子３及び絶縁膜４を形成したものである（図５参照）。有機ＥＬ素子３は、インジウムスズ酸化物（ＩＴＯ；Ｉｎｄｉｕｍ　Ｔｉｎ　Ｏｘｉｄｅ）からなる第一電極５，有機層６，アルミニウム（Ａｌ）等の金属層からなる第二電極７を有する。絶縁膜４は、ポリイミド等のレジスト材料からなるものであり、第二電極７が第一電極５と短絡することを防止している。
【０００３】
【特許文献１】
特開２００１−２６７０６６号公報
【０００４】
有機層６は正孔注入層，正孔輸送層，発光層及び電子輸送層からなるものであり、第一電極５と第二電極７に挟まれている。有機ＥＬ素子３は封止部材８に覆われており、この封止部材８はガラス基板２に接着剤９により接着されている。
第一電極５は、図示しない陽極端子部及び陰極端子部を有しており、陰極端子部の一端が第二電極７に導通されるように形成されている。そして、電源を陽極端子部と陰極端子部に接続すれば発光層が発光し、発光セグメントＳが光輝する。
【０００５】
【発明が解決しようとする課題】
しかしながら、絶縁膜４が端部から剥離してしまい、絶縁膜４全体がガラス基板２から剥がれてしまうという問題があった。この問題は、絶縁膜４が疎水性であり、且つ、絶縁膜４を形成するガラス基板２が親水性であるため、絶縁膜４の端部での接触角α１が大きく、絶縁膜４の濡れ性が低いために生じると考えられる。絶縁膜４が剥がれてしまったものは不良品となるため、有機ＥＬパネル１の製造において歩留りが低下することになる。
【０００６】
本発明は、この問題に鑑みなされたものであり、絶縁膜が基板から剥離する虞を低減できる有機ＥＬパネルを提供するものである。
【０００７】
【課題を解決するための手段】
本発明は、前記課題を解決するため、請求項１に記載したように、少なくとも第一電極１５と発光層２３と第二電極１７とを有する有機ＥＬ素子１３と、前記第一電極１５と前記第二電極１７が短絡することを防ぐ絶縁膜１４と、を基板１２に形成した有機ＥＬパネル１１であって、前記絶縁膜１４の端部の少なくとも一部１４ａ，１４ｂ，１４ｃと前記基板１２の間に、前記絶縁膜１４が前記基板１２から剥がれることを防ぐ剥離防止部３２を設けたものである。
【０００８】
また、本発明は、請求項２に記載したように、前記剥離防止部３２は、接地されているものである。
【０００９】
また、本発明は、請求項３に記載したように、前記剥離防止部３２は、前記基板１２よりも疎水性であるものである。
【００１０】
また、本発明は、請求項４に記載したように、前記剥離防止部３２は、前記第一電極１５と同じ材料からなるものである。
【００１１】
【発明の実施の形態】
以下、添付の図面に基いて、本発明の一実施形態を説明する。
【００１２】
有機ＥＬパネル１１は、ガラス基板１２（基板），有機ＥＬ素子１３及び絶縁膜１４を有している。有機ＥＬ素子１３は、ＩＴＯからなる第一電極１５，有機層１６，アルミニウムからなる第二電極１７を有しており、ガラス基板１２の後面に形成されている。絶縁膜１４は、ノボラック系，環化ゴム系，アクリル系，ポリイミド系または化学増幅型レジスト等からなるパターン状のフォトレジスト膜をベークすることによって形成されたものであり、第一電極１５と第二電極１７が短絡することを防止している。１８は封止部材であり、紫外線硬化型の接着剤１９でガラス基板１２に接着されている。
【００１３】
有機層１６は、正孔注入層２１，正孔輸送層２２，発光層２３及び電子輸送層２４からなるものであるが、有機層１６は、少なくとも発光層２３を有していれば良く、正孔注入層２１，正孔輸送層２２及び電子輸送層２４は無くても良いが、正孔注入層２１，正孔輸送層２２及び電子輸送層２４を設けることにより、有機ＥＬパネル１１の発光輝度を高くすることができる。
【００１４】
第一電極１５は、リード部２８と、リード部２８の一端と連なる表示セグメント部２９と、リード部２８の他端と連なる陽極端子部３０及び陰極端子部３１と、剥離防止部３２と、を有している。表示セグメント部２９は日字形に配設されており、この表示セグメント部２９に各々リード部２８が連設されている。陽極端子部３０及び陰極端子部３１はガラス基板１５の一辺に列状に配置されている。陰極端子部３１は第二電極２１と導通されており、陽極端子部３０と陰極端子部３１とを電源に接続すると、発光セグメントＳが発光する。剥離防止部３２は、リード部２８及び表示セグメント部２９を囲むような略コ字状になっており、図示しない回路基板の接地パターンと電気的に接続されている。
【００１５】
絶縁膜１４は、端部１４ａ，１４ｂ，１４ｃ，１４ｄを有する略長方形になっており、発光セグメントＳに対応する開口部１４ｅが形成されている。第一電極１５の剥離防止部３２は、絶縁膜１４の端部１４ａ，１４ｂ，１４ｃに対応する個所に設けられている。絶縁膜１４は、端部１４ａ，１４ｂ，１４ｃが第一電極１５の剥離防止部３２に重なるように形成されており、絶縁膜１４の端部１４ａ，１４ｂ，１４ｃはガラス基板１２に接触しない。剥離防止部３２（即ち、ＩＴＯ）は、ガラス基板１５と比較して疎水性であるため、絶縁膜１４の端部１４ａ，１４ｂ，１４ｃにおける接触角α２が小さい。
【００１６】
本実施形態によれば、絶縁膜１４の濡れ性が良好であり、絶縁膜１４の密着性が高く、絶縁膜１４が剥離する虞を低減できる。且つ、剥離防止部３２を接地したことにより、有機ＥＬパネル１１から発せられる電磁ノイズを低減できる。
【００１７】
なお、剥離防止部３２は疎水性であることが望ましく、例えばクロム（Ｃｒ）であっても良いが、本実施形態のように透明電極１５と同じ材料からなるものであれば、表示セグメント部２９及びリード部２８等と同時に形成することが可能であり、工数が増える虞がない。また、本実施形態では、絶縁膜１４の端部１４ｄに対応する個所には剥離防止部３２は設けられていないが、各陽極端子部３０や陰極端子部３１の間にも剥離防止部３２を設けても良く、絶縁膜１４の密着性を更に向上させることができる。
【００１８】
また、本実施形態は、セグメント表示型の有機ＥＬパネル１４であったが、多数の画素を行列状に配設したマトリクス型の有機ＥＬパネルにも本発明を適用できる。また、液晶表示素子等の透過型表示素子のバックライトとして用いられるような略全面が発光する有機ＥＬパネルにも適用できることは言うまでもない。
【００１９】
【発明の効果】
本発明は、少なくとも第一電極と発光層と第二電極とを有する有機ＥＬ素子と、前記第一電極と前記第二電極が短絡することを防ぐ絶縁膜と、を基板に形成した有機ＥＬパネルであって、前記絶縁膜の端部の少なくとも一部と前記基板の間に、前記絶縁膜が前記基板から剥がれることを防ぐ剥離防止部を設けたものであり、絶縁膜の濡れ性を良好にして、絶縁膜が基板から剥離する虞を低減できる。
【００２０】
また、本発明は、前記剥離防止部は、接地されているものであり、有機ＥＬパネルから発せられる電磁ノイズを低減することができる。
【００２１】
また、本発明は、前記剥離防止部は、前記基板よりも疎水性であるものであり、絶縁膜が基板から剥離する虞を更に低減できる。
【００２２】
また、本発明は、前記剥離防止部は、前記第一電極と同じ材料からなるものであり、工数が増える虞がない。
【図面の簡単な説明】
【図１】本発明の実施形態を示す分解斜視図。
【図２】同上実施形態を示す正面図。
【図３】同上実施形態を示す断面図。
【図４】同上実施形態を示す有機層の断面図。
【図５】従来例を示す断面図。
【符号の説明】
１１　　有機ＥＬパネル
１２　　ガラス基板（基板）
１３　　有機ＥＬ素子
１４　　絶縁膜
１４ａ　端部
１４ｂ　端部
１４ｃ　端部
１５　　第一電極
１６　　有機層
１７　　第二電極
３２　　剥離防止部
【図１】
2004119226.tif 000003
【図２】
2004119226.tif 000004
【図３】
2004119226.tif 000005
【図４】
2004119226.tif 000006
【図５】
2004119226.tif 000007